(57)【要約】【課題】内蔵カセット棚を増やした大型のライブラリー装置を使用することなく、人間がラベルを見て検索する負荷や、誤ったテープカセットを投入する危険を回避できるライブラリーシステムを提供する。【解決手段】ライブラリー本体装置１は、テープカセットを多数収納するカセット棚と、テープカセットの記録及び／又は再生を行うドライブと、テープカセットの搬送を行うカセット搬送機構と、ドライブやカセット搬送機構の制御を行うシステムコントローラと、外部装置と接続するための外部側通信手段とを備えてなる。外部棚装置４０は、ライブラリー本体装置１と接続するためのライブラリー側通信手段と、テープカセットを多数収納するカセット棚とを備え、ライブラリー本体装置１から指定されたテープカセットを検索し、該当するテープカセットを表示する。【選択図】　図１
2004005844.tif 000002
【特許請求の範囲】
【請求項１】
記録媒体カセットを多数収納するカセット棚と、記録媒体カセットの記録及び／又は再生を行うドライブと、記録媒体カセットの搬送を行うカセット搬送機構と、ドライブやカセット搬送機構の制御を行うシステムコントローラと、外部装置と接続するための外部側通信手段とを備えてなり、前記外部側通信手段を介して外部装置と接続されるライブラリー本体装置と、
前記ライブラリー本体装置と接続するためのライブラリー側通信手段と、記録媒体カセットを多数収納するカセット棚とを備え、前記ライブラリー側通信手段を介して前記ライブラリー本体装置に接続され、前記ライブラリー本体装置から指定された記録媒体カセットを検索し、該当する記録媒体カセットを表示する外部棚装置と
を備えることを特徴とするライブラリーシステム。
【請求項２】
前記ドライブに記録及び／又は再生を行わせために記録媒体カセットが指定されると、前記ライブラリー本体装置は前記外部棚装置のカセット棚を前記ライブラリー本体装置のカセット棚に連続する仮想棚として管理することを特徴とする請求項１記載のライブラリーシステム。
【請求項３】
前記ライブラリー本体装置は、前記カセット搬送機構によって搬送されたカセット記録媒体を排出するカセット排出機構と、前記カセット排出機構によって排出される記録媒体カセットに関する管理情報を読み出すカセット管理情報読み出し手段と、前記カセット管理情報読み出し手段によって読み出した前記記録媒体カセットに関する管理情報を記憶する読み出し管理情報記憶手段とをさらに備えることを特徴とする請求項１記載のライブラリーシステム。
【請求項４】
前記ライブラリー本体装置は、前記読み出し管理情報記憶手段に記憶されていた前記記録媒体カセットに関する管理情報の内、指定された記録媒体カセットに関する管理情報を前記外部側通信手段を介して前記外部棚装置に送ることを特徴とする請求項３記載のライブラリーシステム。
【請求項５】
前記外部棚装置は、前記ライブラリー本体装置から送られてきた前記指定された記録媒体カセットに関する管理情報に基づいて該当する記録媒体カセットを検索し、表示することを特徴とする請求項４記載のライブラリーシステム。
【請求項６】
前記ライブラリー本体装置は、前記記録媒体カセットが投入されるカセット投入機構を備え、前記カセット投入機構を介して投入された記録媒体カセットを、指定された前記ドライブ又はカセット棚の収納部に前記カセット搬送機構を用いて搬送することを特徴とする請求項１記載のライブラリーシステム。
【請求項７】
前記外部棚装置の前記カセット棚を、前記ライブラリー本体装置にあって前記記録媒体カセットが投入されるカセット投入ポート、又は前記カセット搬送機構によって搬送されたカセット記録媒体を排出するカセット排出ポートとして仮想的に割り当てることを特徴とする請求項１記載のライブラリーシステム。
【請求項８】
前記ライブラリー本体装置は、ホスト側通信手段を介してホストコンピュータと接続されることを特徴とする請求項１記載のライブラリーシステム。
【請求項９】
前記外部棚装置は、各記録媒体カセットを収納するカセット収納部を前記カセット棚毎に複数備えてなり、各カセット収納部に収納された記録媒体カセットを、前記ライブラリー本体装置からの指定に応じて検索することを特徴とする請求項１記載のライブラリーシステム。
【請求項１０】
前記外部棚装置は、前記記録媒体カセットに関する管理情報を読み出すカセット管理情報読み出し手段を備えることを特徴とする請求項１記載のライブラリーシステム。
【請求項１１】
前記外部棚装置は、前記カセット棚毎に各記録媒体カセットを収納する複数のカセット収納部と、前記記録媒体カセットに関する管理情報を読み出すカセット管理情報読み出し手段とをさらに備え、前記複数のカセット収納部のアドレスと前記カセット管理情報読み出し手段が読み出した前記記録媒体カセットに関する管理情報とを対応づけて記憶しておくことを特徴とする請求項１記載のライブラリーシステム。
【請求項１２】
前記ライブラリー本体装置から指定された前記記録媒体カセットに関する管理情報を基に前記外部棚装置は前記カセット収納部のアドレスを検索し、該当するアドレスのカセット収納部を表示手段によって表示することを特徴とする請求項９記載のライブラリーシステム。
【請求項１３】
前記ライブラリー本体装置は、内部のカセット棚に収納している記録媒体カセットの使用状況を解析し、内部に保持する記録媒体カセットと前記外部棚装置に保管する記録媒体カセットとを選択することを特徴とする請求項１記載のライブラリーシステム。
【請求項１４】
前記ライブラリー本体装置は、内部に保持していた記録媒体カセットを前記外部棚装置に移動するとき、その管理情報を外部に伝えることを特徴とする請求項１記載のライブラリーシステム。
【請求項１５】
前記ライブラリー本体装置は、前記外部棚装置から記録媒体カセットを移動させる必要が生じたとき、その管理情報を外部に伝えることを特徴とする請求項１記載のライブラリーシステム。
【請求項１６】
前記記録媒体カセットは、管理情報を記憶するメモリ手段を備えていることを特徴とする請求項１記載のライブラリーシステム。
【請求項１７】
前記ライブラリー本体装置は、前記記録媒体カセットのメモリ手段に記憶されている前記管理情報を読み出すことを特徴とする請求項１６記載のライブラリーシステム。
【請求項１８】
前記外部棚装置は、前記記録媒体カセットのメモリ手段に記憶されている前記管理情報を読み出すことを特徴とする請求項１６記載のライブラリーシステム。
【請求項１９】
記録媒体カセットを多数収納するカセット棚と、記録媒体カセットの記録及び／又は再生を行うドライブと、記録媒体カセットの搬送を行うカセット搬送機構と、前記カセット搬送機構によって搬送されたカセット記録媒体を排出するカセット排出ポートとを備えたライブラリー本体装置と、
前記ライブラリー本体装置の外部にあって記録媒体カセットを多数収納するカセット棚を備える外部棚装置と
の間での記録媒体カセットの移動を管理する記録媒体カセットの移動管理方法において、
前記ライブラリー本体装置内のカセット棚にある記録媒体カセットが前記外部棚装置のカセット棚に移動されるときには、
前記ライブラリー本体装置の前記カセット排出ポートに前記カセット搬送機構によって記録媒体カセットを搬送するカセット搬送工程と、
前記カセット搬送工程によって前記カセット排出ポートに搬送された記録媒体カセットに関する管理情報を読み出す管理情報読み出し工程と、
前記管理情報読み出し工程によって読み出された記録媒体カセットに関する管理情報を記憶する管理情報記憶工程と、
前記カセット排出ポートから取り出された記録媒体カセットが前記外部棚装置のカセット棚に収納されると当該記録媒体カセットの管理情報を読み取る外部棚装置側管理情報読み出し工程と、
前記外部棚装置側管理情報読み出し工程にて読み出された前記記録媒体カセットに関する管理情報を前記外部棚装置のカセット棚の収納アドレスに対応付けて記憶する外部棚装置側管理情報記憶工程と
を備えることを特徴とする記録媒体カセットの移動管理方法。
【請求項２０】
記録媒体カセットを多数収納するカセット棚と、記録媒体カセットの記録及び／又は再生を行うドライブと、記録媒体カセットの搬送を行うカセット搬送機構と、前記記録媒体カセットが投入されるカセット投入ポートとを備えたライブラリー本体装置と、
前記ライブラリー本体装置の外部にあって記録媒体カセットを多数収納するカセット棚を備える外部棚装置と
の間での記録媒体カセットの移動を管理する記録媒体カセットの移動管理方法において、
前記ライブラリー本体装置側の指定により前記外部棚装置のカセット棚から記録媒体カセットが前記ライブラリー本体装置のカセット棚に移動されるときには、
前記ライブラリー本体装置にて所望の記録媒体カセットに関する管理情報を前記外部棚装置に送る管理情報送り工程と、
前記管理情報送り工程によって送られてきた前記所望の記録媒体カセットに関する管理情報を前記外部棚装置側にて受け取る管理情報受け取り工程と、
前記管理情報受け取り工程で受け取った管理情報に基づいて前記所望の記録媒体カセットを検索する記録媒体カセット検索工程と、
前記記録媒体カセット検索工程にて検索した記録媒体カセットの収納位置を表示する表示工程と、
前記表示工程で表示された収納位置から取り出された前記所望の記録媒体カセットが前記ライブラリー本体装置の前記投入ポートに投入されると、投入された記録媒体カセットを前記搬送機構により前記ライブラリー本体装置の指定されたカセット棚の収納位置に搬送するカセット搬送工程と
を備えることを特徴とする記録媒体カセットの移動管理方法。
【発明の詳細な説明】
【０００１】
【発明の属する技術分野】
本発明は新規なライブラリーシステムに関し、特に、カセット棚に収容された多数の記録媒体カセット、例えば、テープカセット、光ディスクカセット等より任意の記録媒体カセットを選択して、ドライブにデータの記録や再生を行わせることのできるカセットライブラリーシステムに関する。また、記録媒体カセットの移動管理方法に関する。
【０００２】
【従来の技術】
従来、コンピュータ装置において種々の情報処理を行うにあたって、大量のデータを扱う場合には、サーバ内のデータをバックアップしておくことが必要となっている。バックアップは、一般的に「コンパクトディスク（ＣｏｍｐａｃｔＤｉｓｃ）」（登録商標）などの光ディスクや光磁気ディスクを記録媒体として用いて行われているが、これら光ディスク等に記録しきれないほどの大量のデータを扱う場合には、いわゆる「８ミリビデオ」（登録商標）用のテープカセットが記録媒体として用いられている。一本のテープカセットの記録容量は、５０ＧＢ（ギガバイト）乃至１００ＧＢ程度である。
【０００３】
なお、テープカセットは、必要なデータにアクセスするのに時間がかかる。そのため、通常頻繁に使用されるデータのみを光ディスクに記録しておき、一方、あまり使用されないデータも含む全てのデータをテープカセットに記録しておくことが行われている。
【０００４】
このようなデータのバックアップにも有用な装置として、複数のテープカセットを収納し、これらテープカセットから任意のテープカセットを選択して情報信号の記録再生を行う、いわゆる「データライブラリー」と呼ばれる記録再生装置（以下、ライブラリー装置と記す）が提案されている。
【０００５】
一般的に、ライブラリー装置は、内蔵のカセット棚に収容された多数のテープカセットより任意のテープカセットを選択してドライブに搬送し、当該テープカセットに対してデータの記録や再生を行う。
【０００６】
このライブラリー装置は、例えば、ＳＣＳＩ（Ｓｍａｌｌ　ＣｏｍｐｕｔｅｒＳｙｓｔｅｍ　Ｉｎｔｅｒｆａｃｅ）等の標準インターフェースで単数又は複数のホストコンピュータに接続されて使用される。
【０００７】
このようなライブラリー装置は、テープカセットを多数収納するカセット棚と、記録媒体カセットの記録や再生を行うドライブと、テープカセットの搬送を行うカセット搬送機構と、ドライブやカセット搬送機構の制御を行うシステムコントローラとを備えてなる。このライブラリー装置は、システムコントローラの制御に基づいて、例えばホストコンピュータの要求に応え、内蔵のカセット棚に収納しているテープカセットの中から要求されたデータにかかるものを選択し、これをカセット搬送機構によってドライブに搬送し、該記録媒体カセットに対するデータの記録や再生を行う。そして、ドライブにおける処理が終了したテープカセットを再びカセット搬送機構によって元のカセット棚に戻すようになっている。
【０００８】
ところで、前記ライブラリー装置において、外部にあるテープカセットが必要になった場合は、人間がテープカセットに貼ってあるラベルを見て該当のテープカセットを選択し、ライブラリー装置に投入していた。
【０００９】
【発明が解決しようとする課題】
しかしながら、前述のように、人間が前記ラベルを見て該当のテープカセットを選択する方法では、人間が該当のテープカセットを前記ラベルを見ながら検索する負荷と、誤ったテープカセットをライブラリー装置に投入する危険が存在してしまう。
【００１０】
このような危険を回避するためには、内蔵カセット棚を増やした大型のライブラリー装置を使用し、テープカセットを外部に出さないようにする必要があった。しかし、大型のライブラリー装置は、高コストとなるのは明かである。
【００１１】
本発明は、前記実情に鑑みてなされたものであり、内蔵カセット棚を増やした大型のライブラリー装置を使用することなく、人間がラベルを見て検索する負荷や、誤ったテープカセットを投入する危険を回避できるライブラリーシステムの提供を目的とする。
【００１２】
また、本発明は、前記実情に鑑みてなされたものであり、人間がラベルを見て検索する負荷や、誤ったテープカセットを投入する危険を回避できる記録媒体カセットの移動管理方法の提供を目的とする。
【００１３】
【課題を解決するための手段】
本発明に係るライブラリーシステムは、前記課題を解決するために、記録媒体カセットを多数収納するカセット棚と、記録媒体カセットの記録及び／又は再生を行うドライブと、記録媒体カセットの搬送を行うカセット搬送機構と、ドライブやカセット搬送機構の制御を行うシステムコントローラと、外部装置と接続するための外部側通信手段とを備えてなり、前記外部側通信手段を介して外部装置と接続されるライブラリー本体装置と、前記ライブラリー本体装置と接続するためのライブラリー側通信手段と、記録媒体カセットを多数収納するカセット棚とを備え、前記ライブラリー側通信手段を介して前記ライブラリー本体装置に接続され、前記ライブラリー本体装置から指定された記録媒体カセットを検索し、該当する記録媒体カセットを表示する外部棚装置とを備える。
【００１４】
外部棚装置は、ライブラリー本体装置から指定された記録媒体カセットをカセット棚に収納された状態で検索し、該当する記録媒体カセットの例えばＬＥＤを点灯する。
【００１５】
本発明に係る記録媒体カセットの移動管理方法は、前記課題を解決するために、記録媒体カセットを多数収納するカセット棚と、記録媒体カセットの記録及び／又は再生を行うドライブと、記録媒体カセットの搬送を行うカセット搬送機構と、前記カセット搬送機構によって搬送されたカセット記録媒体を排出するカセット排出ポートとを備えたライブラリー本体装置と、前記ライブラリー本体装置の外部にあって記録媒体カセットを多数収納するカセット棚を備える外部棚装置との間での記録媒体カセットの移動を管理する記録媒体カセットの移動管理方法において、前記ライブラリー本体装置内のカセット棚にある記録媒体カセットが前記外部棚装置のカセット棚に移動されるときには、前記ライブラリー本体装置の前記カセット排出ポートに前記カセット搬送機構によって記録媒体カセットを搬送するカセット搬送工程と、前記カセット搬送工程によって前記カセット排出ポートに搬送された記録媒体カセットに関する管理情報を読み出す管理情報読み出し工程と、前記管理情報読み出し工程によって読み出された記録媒体カセットに関する管理情報を記憶する管理情報記憶工程と、前記カセット排出ポートから取り出された記録媒体カセットが前記外部棚装置のカセット棚に収納されると当該記録媒体カセットの管理情報を読み取る外部棚装置側管理情報読み出し工程と、前記外部棚装置側管理情報読み出し工程にて読み出された前記記録媒体カセットに関する管理情報を前記外部棚装置のカセット棚の収納アドレスに対応付けて記憶する外部棚装置側管理情報記憶工程とを備える。
【００１６】
カセット搬送工程によってカセット排出ポートに搬送された記録媒体カセットに関する管理情報を管理情報読み出し工程が読みだし、その読み出された記録媒体カセットに関する管理情報を管理情報記憶工程が記憶する。また、前記カセット排出ポートから取り出された記録媒体カセットが外部棚装置のカセット棚に収納されると当該記録媒体カセットの管理情報を外部棚装置側管理情報読み出し工程が読み取り、前記外部棚装置側管理情報読み出し工程にて読み出された前記記録媒体カセットに関する管理情報は外部棚装置側管理情報記憶工程が外部棚装置のカセット棚の収納アドレスに対応付けて記憶する。
【００１７】
したがって、管理情報記憶工程で記憶された記録媒体カセットに関する管理情報がライブラリー本体装置から送られると、外部棚装置では、外部棚装置側管理情報記憶工程で記憶された該当の管理情報を検索し、検索した管理情報に対応付けられたカセット棚の収納アドレスを知ることができ、その収納アドレスにある記録媒体カセットを例えばＬＥＤを点灯して表示することができる。
【００１８】
本発明に係る記録媒体カセットの移動管理方法は、前記課題を解決するために、記録媒体カセットを多数収納するカセット棚と、記録媒体カセットの記録及び／又は再生を行うドライブと、記録媒体カセットの搬送を行うカセット搬送機構と、前記記録媒体カセットが投入されるカセット投入ポートとを備えたライブラリー本体装置と、前記ライブラリー本体装置の外部にあって記録媒体カセットを多数収納するカセット棚を備える外部棚装置との間での記録媒体カセットの移動を管理する記録媒体カセットの移動管理方法において、前記ライブラリー本体装置側の指定により前記外部棚装置のカセット棚から記録媒体カセットが前記ライブラリー本体装置のカセット棚に移動されるときには、前記ライブラリー本体装置にて所望の記録媒体カセットに関する管理情報を前記外部棚装置に送る管理情報送り工程と、前記管理情報送り工程によって送られてきた前記所望の記録媒体カセットに関する管理情報を前記外部棚装置側にて受け取る管理情報受け取り工程と、前記管理情報受け取り工程で受け取った管理情報に基づいて前記所望の記録媒体カセットを検索する記録媒体カセット検索工程と、前記記録媒体カセット検索工程にて検索した記録媒体カセットの収納位置を表示する表示工程と、前記表示工程で表示された収納位置から取り出された前記所望の記録媒体カセットが前記ライブラリー本体装置の前記投入ポートに投入されると、投入された記録媒体カセットを前記搬送機構により前記ライブラリー本体装置の指定されたカセット棚の収納位置に搬送するカセット搬送工程とを備える。
【００１９】
管理情報送り工程はライブラリー本体装置側で所望されている記録媒体カセットに関する管理情報を外部棚装置に送り、管理情報受け取り工程は管理情報送り工程によって送られてきた所望の記録媒体カセットに関する管理情報を外部棚装置側にて受け取る。そして、記録媒体カセット検索工程は、管理情報受け取り工程で受け取った管理情報に基づいて所望の記録媒体カセットを検索する。そして、表示工程は、記録媒体カセット検索工程にて検索した記録媒体カセットの収納位置を、例えばＬＥＤを点灯することによって表示する。表示された収納位置から取り出された所望の記録媒体カセットがライブラリー本体装置の投入ポートに投入されると、カセット搬送工程は投入された記録媒体カセットを搬送機構によりライブラリー本体装置の指定されたカセット棚の収納位置に搬送する。
【００２０】
【発明の実施の形態】
以下、本発明の実施の形態について図面を参照しながら説明する。この実施の形態は、図１に構成を示すライブラリーシステムである。ライブラリーシステムは、ライブラリー本体装置１と、外部棚装置装置４０と、パーソナルコンピュータ（ＰＣ）のようなホストコンピュータ７０とからなる。ここで、ライブラリー本体装置１は、例えばＲＳ２３２Ｃインターフェースなどにより外部棚装置４０と接続している。また、ライブラリー本体装置１は、例えばＳＣＳＩインターフェースなどによりホストコンピュータ７０と接続している。
【００２１】
このライブラリーシステムは、記録媒体カセットとして、テープカセットを使用する。このテープカセットは、いわゆる「８ミリビデオ」（登録商標）用のテープカセットであって、一本の記録容量が、５０ＧＢ（ギガバイト）〜１００ＧＢ程度である。
【００２２】
テープカセットは、必要なデータにアクセスするのに時間がかかる。そのため、あまり使用されないバックアップ用のデータを記録するために使用されることが多い。したがって、このライブラリーシステムは、バックアップ用のデータが記録／再生されるテープカセットを多数収納しながら必要に応じてドライブに記録／再生させるようなバックアップ用途に適している。また、テープカセットには、各テープカセット固有（Ｕｎｉｑｕｅ）の例えば識別番号（ＩＤ）等の管理情報がバーコードによって記されている。この管理情報としては、例えば数字、記号、文字などの組み合わせによって作られる固有の識別番号（ＵＩＤと記す）の他、記録年月日時間や、バージョン、さらには記録内容を文字化して記述してもよい。
【００２３】
先ず、ライブラリー本体装置１の構成について図２を用いて説明する。
【００２４】
ライブラリー本体装置１は直方体状の外形を為すように組まれたフレーム２に所要の要素が支持されて成る。
【００２５】
フレーム２内の前後方向（本明細書において方向に言及するときは、図２における左下方に向かう方向を前方、右上方に向かう方向を後方、左上方に向かう方向を左方、右下方に向かう方向を右方、上方に向かう方向を上方、下方に向かう方向を下方とする。）におけるほぼ中央部に複数のカセット棚３、３、・・・が上下に配列されている。各カセット棚３は左右に並んだ多数の図示しないカセット収納室を有しており、それらカセット収納室に各１個づつテープカセット４、４、・・・が収納されるようになっている。
【００２６】
尚、カセット棚３に形成されたカセット収納室のテープカセット４を出し入れするための開口は後方を向いている。そして、各カセット棚３、３、・・・のカセット収納室の開口が位置した面は同一の平面ＢＳ（この面をカセット棚３の取付基準面という。）に位置している。
【００２７】
また、フレーム２内の下方にはドライブ（テープストリーマードライブ）５、５、・・・が左右に並んで配設されている。これらドライブ５、５、・・・のテープカセット４を出し入れする面も後方を向いており、且つ、同一の平面内に位置している。
【００２８】
また、フレーム２内の奥にカセット搬送機構６が設けられている。該カセット搬送機構６は上下移動部７と左右移動部８とハンドブロック９とから成る。
【００２９】
上下移動部７は、上下方向に延びるように立設されたＺ軸支柱１０と、該Ｚ軸支柱１０の前面に上下方向に延びるように支持されたＺ軸レール１１と、Ｚ軸支柱１０に支持されたＺ軸モータ１２と、該Ｚ軸モータ１２によって伝達ベルト１３を介して回転される駆動軸１４と、該駆動軸１４によって駆動されるＺ軸駆動ベルト１５とを備えている。
【００３０】
左右移動部８は、Ｘ軸テーブル１６と、該Ｘ軸テーブル１６の上面に左右方向に延びるように支持されたＸ軸レール１７と、Ｘ軸テーブル１６に支持されたＸ軸モータ１８と、該Ｘ軸モータ１８により駆動されるＸ軸駆動ベルト１９とを備えている。そして、前記Ｘ軸テーブル１６は前記Ｚ軸レール１１に上下方向に移動自在に支持されると共に、前記Ｚ軸駆動ベルト１５と連結されている。従って、前記Ｚ軸モータ１２が駆動されると、Ｘ軸テーブル１６がＺ軸レール１１に沿ってＺ軸方向、即ち、上下方向へ移動されることになる。
【００３１】
ハンドブロック９は、前記Ｘ軸レール１７に左右方向に移動自在に支持されており、左右移動部８のＸ軸駆動ベルト１９と連結され、Ｘ軸モータ１８の駆動によりＸ軸レール１７に沿って左右方向に移動されるようになっている。そして、ハンドブロック９はハンド２０を有している。
【００３２】
該ハンド２０は、上下２つの掴み片２０ａ、２０ａを有しており、ハンドブロック９の筐体２１の前端から前方へ突出した位置と後方の内部に引っ込んだ位置との間を移動自在とされている。そして、ハンド２０は、筐体２１から前方へ突出した位置でカセット棚３のカセット収納室等からテープカセット４を掴んでそれを筐体２１内に引き込み、筐体２１内に引き込んだ状態でハンドブロック９が左右移動部８によって左右方向に、また、上下移動部７によって上下方向に、移動されてドライブ５等目的の要素の位置まで移動され、そこで、筐体２１内に引き込んでいたテープカセット４をハンド２０が前方へ押し出して当該要素に装着等する、というように、該ハンドブロック９によって、ドライブ５、５、・・・やカセット棚３、３、・・・等の各要素間におけるテープカセット４、４、・・・のやり取りが行われる。
【００３３】
フレーム２内の上端部前側の部分にはカセット取込機構２２が設けられている。該カセット取込機構２２は、複数のテープカセット４、４、・・・を受け入れるカセットラック２３を有し、該カセットラック２３が、これと一体的に形成されたラック部材２４、２４と該ラック部材２４、２４を送るピニオン２５、２５と該ピニオン２５、２５を駆動する取込モータ２６とによって移動されるようになっている。
【００３４】
そして、図２に実線で示すように、カセットラック２３がその移動範囲の前端に位置しその受入開口が前方を向いた状態でフレーム２外から１個又は複数個のテープカセット４がカセットラック２３内に受け入れられ、それから、カセットラック２３が途中で１８０゜上から回転されながら後方へ引き込まれる。そして、カセットラック２３が後方へ引き込まれた状態（図２に２点鎖線で示す状態）で前記ハンドブロック９によってカセットラック２３内に受け入れられているテープカセット４が１個づつ引き出され、所定のカセット棚３の所定のカセット収納室に収容される。
【００３５】
また、フレーム２内の前端部にカセット排出機構２７が設けられている。カセット排出機構２７は、上端部に設けられた内部カセット投入部２８と、上下方向におけるほぼ中央に設けられたカセット取出部２９と、これら内部カセット投入部２８とカセット取出部２９との間を連結しているシュート３０とを備えている。そして、不要となったテープカセット４が前記ハンドブロック９によってカセット棚３から取り出され、内部カセット投入部２８に投入される。内部カセット投入部２８に投入されたテープカセット４はシュート３０を経てカセット取出部２９に達し、ここでフレーム２外に取り出される。
【００３６】
ライブラリー装置本体１には、前記カセット排出機構２７の一構成要素である内部カセット投入部２８とは別のカセット投入機構が備えられている。これは、外部からオペレータによってテープカセット４が投入される外部カセット投入ポートと、この外部カセット投入ポートから投入されたテープカセットをカセット搬送機構６まで運ぶシュート等からなる。もちろん、ハンドブロック９によって前記ポートからテープカセットをカセット搬送機構６まで運んでもよい。
【００３７】
このライブラリー装置本体１は、前記カセット排出機構２７のカセット取り出し部（ポート）と前記外部カセット投入ポートとを後述するようにＩ／Ｅポート３２としている。
【００３８】
このほか、ライブラリー本体１は、カセットライブラリーシステム全体を制御するシステムコントローラ３１、前記３つのモータ１２、１８、２６等の制御を行うサーボコントローラ３２を有し、また、ホストコンピュータとの接続のためのＳＣＳＩインターフェース３３、外部棚装置４０との接続のためのＲＳ−２３２Ｃインターフェース３４を備えている。
【００３９】
次に、外部棚装置４０について説明する。外部棚装置４０も直方体状の外形をなすように形成されている。両側板、天板、底板及び後板で囲まれた空間内に複数のカセット棚４１が設けられている。前面は、オペレータによるテープカセットの収納、取り出しが可能なように略開放されている。各カセット棚４１には、それぞれ複数のカセット収納部が設けられており、テープカセット４が収納されるようになっている。各カセット棚４１の前面の下部には、カセット収納部の数と同じ数だけのＬＥＤ表示装置４２が設けられている。このＬＥＤ表示装置４２は、各カセット収納部に収納されているテープカセット４が、ライブラリー本体装置１から、例えば指定されたものであるときに点灯する。このＬＥＤが点灯される動作については後述する。
【００４０】
また、外部棚装置４０の前面の両側部には、テープカセットに設けられたバーコードを読み取るための読み取り装置４５を水平レール４４毎、上下移動させるための一対の垂直レール４３が設けられている。読み取り装置４５は、水平レール４４を移動して、テープカセットに設けられたバーコードを読み取ることができる。
【００４１】
このため、垂直レール４３により、水平レール４４が、目的のテープカセットが収納されている目的のカセット棚４１の場所まで移動され、さらに水平レール４４が読み取り装置４５を目的のテープカセットが収納されている収納部に移動させることによって、目的のテープカセットのバーコードを読み取ることができる。
【００４２】
図３には、ライブラリー本体装置１と、外部棚装置４０の内部構成（電気的接続関係による内部構成）を示す。
【００４３】
ライブラリー本体装置１は、ホストコンピュータ７０との接続のためのＳＣＳＩインターフェース３３と、この本体装置１全体を制御する制御装置（システムコントローラ）３１と、テープカセットの記録及び／又は再生を行うテープドライブ装置５と、テープカセットの搬送を行うカセット搬送機構６を含めたロボティクス駆動装置３５と、外部棚装置４０との接続のためのＲＳ２３２Ｃインターフェース３４と、外部からテープカセットが投入されるカセット投入ポートと，テープカセットを排出する（取り出される）カセット排出（取り出し）ポートの両方の機能を備えたＩ／Ｅポート３２とを備えてなる。ロボティクス駆動装置３５は、カセット搬送機構６の他、カセット搬送機構６のモータを駆動してサーボをコントロールするサーボコントローラ等を含めた構成になっている。
【００４４】
外部棚装置４０は、ライブラリー本体装置１との接続のためのＲＳ２３２Ｃインターフェース４６と、外部棚装置４０全体を制御する制御装置４７と、バーコード読み取り装置４５と、バーコード読み込み装置駆動装置４６と、ＬＥＤ表示装置４２とを備えてなる。
【００４５】
ホストコンピュータ７０は、ライブラリーシステムを利用するためのアプリケーションプログラムを実行し、例えば、このライブラリーシステムをサーバのバックアップ用途に用いることができるように制御する。そして、例えば、外部棚装置４０内のカセット棚４１を、ライブラリー本体装置１のカセット棚３と同等に仮想棚のように扱う。アプリケーションプログラム側からは、ライブラリー本体装置１のカセット棚３も前記仮想棚（外部棚装置４０のカセット棚４１）も同じに見えるようにする。
【００４６】
次に、前記図１〜図３に加え、図４〜図６を参照しながらライブラリーシステムの動作について説明する。図４はライブラリー本体装置１のカセット棚３に連続させて、外部棚装置４０のカセット棚４１（仮想棚）を配置した模式図である。ホストコンピュータ７０側からは図４のように見えるわけである。ここでは、テープカセットが収納されている収納部については省略している。実際には、各カセット棚及び仮想棚は複数の収納部を備える。本発明は、各カセット棚３、４１の各収納部の位置までを特定することができるものであるが、ここでは説明の簡略化のため収納部を省略した。
【００４７】
先ず、ホストコンピュータ７０で実行されているアプリケーションプログラムにより、ライブラリー本体装置１内のカセット棚３にあるテープカセット４を、外部棚装置４０のカセット棚４１に移動させるときの動作について説明する。
【００４８】
ホストコンピュータ７０からは、ライブラリー本体装置１のカセット棚＃１〜＃２３に収納されているテープカセットのうち、使用頻度の一番低いテープカセットを、＃２４以降のカセット棚に移動させる移動コマンドが発行されるとする。このために、ホストコンピュータ７０からライブラリー本体装置１へは、使用頻度の一番低いテープカセットがどれであるかを問い合わせにいく。
【００４９】
ライブラリー本体装置１は、内部のカセット棚に収納しているテープカセットの使用状況を解析し、例えば使用頻度から内部に保持するテープカセットと、外部棚装置に保管するテープカセットとを選択する機能がある。例えば、ライブラリー本体装置１が、カセット棚＃５に収納されているテープカセットの使用頻度が一番低いと判断したときには、これをホストコンピュータ７０に通知する。
【００５０】
すると、ホストコンピュータ７０は、カセット棚＃５のテープカセットを＃２４以降のカセット棚に移動させよという移動コマンドを発行する。
【００５１】
ホストコンピュータ７０からの前記移動コマンドは、ライブラリー本体装置１の制御装置（システムコントローラ）３１に供給される。
【００５２】
ホストコンピュータ７０からの移動コマンドを受信したシステムコントローラ３１は、ロボティクス装置３５のサーボコントローラに対して、カセット棚＃５に収納されているテープカセットを、Ｉ／Ｅポート３２に搬送せよという変更コマンドを発行する。
【００５３】
この変更コマンドを受け取ったロボティクス装置３５のサーボコントローラは、カセット搬送機構６の各モータを駆動して＃５のカセット棚に収納されていたテープカセットをＩ／Ｅポート３２に搬送する（図５に示すフローチャートのステップＳ１）。つまり、システムコントローラ３１は、＃５のカセット棚に収納されていたテープカセットを実際には仮想棚ではなく、Ｉ／Ｅポート３２に搬送する。
【００５４】
このとき、システムコントローラ３１は、ライブラリー本体装置１内に設けられているバーコード読み取り装置によりテープカセット固有の識別情報（Ｕｎｉｑｅ　ＩＤ：ＵＩＤ）を読みだし、この読み出したＵＩＤをカセット棚番号＃５に対応付けて内部の記憶部に記憶する（ステップＳ２）。
【００５５】
次に、ステップＳ３にてＩ／Ｅポート３２からオペレータによりテープカセットが手動で取り出され、外部棚装置４０の例えば＃２８のカセット棚に手動で移されたとする。
【００５６】
外部棚装置４０は、前記＃２８のカセット棚に移されたテープカセットのバーコードをバーコード読み取り装置４５によって読み取る。バーコード読み取り装置４５は、バーコード読み取り装置駆動装置４６により、一対の垂直レール４３によって垂直方向に移動される水平レール４４上を移動し、前記＃２８のカセット棚上に移動される。そして、カセット棚＃２８に収納されているテープカセットのバーコードを読み取り（ステップＳ４）、当該テープカセットのＵＩＤと棚番号＃２８とを対応つけて制御装置４７内部のメモリに記憶する。
【００５７】
このテープカセットのＵＩＤと棚番号＃２８（収納位置情報）は、外部棚装置４７の制御装置４７からＲＳ２３２Ｃインターフェース４６を介し、さらにライブラリ本体装置１のＲＳ２３２Ｃインターフェース３４を介してシステムコントローラ３１に送信される。このため、システムコントローラ３１は、前記ステップＳ２にてメモリに格納しておいた移動されたテープカセットのＵＩＤを参照することにより、ＵＩＤと仮想棚の棚番号＃２８（収納位置情報）とを関連付けて保存することができる。
【００５８】
次に、ホストコンピュータ７０で実行されているアプリケーションプログラムにより、外部棚装置４０のカセット棚４１にあったテープカセット４を、ライブラリー本体装置１内のカセット棚３に移動させるときの動作について図６を用いて説明する。具体例としては、前記＃２８のカセット棚に移されたテープカセットが必要になり、ライブラリー本体装置１の前記＃５のカセット棚に戻す動作について説明する。
【００５９】
ホストコンピュータ７０のアプリケーションプログラムは、＃２８のカセット棚からテープカセットを＃５のカセット棚に搬送するコマンドを発行する。もちろん、予め、ホストコンピュータ７０は、システムコントローラ３１から、＃５のカセット棚に収納されていたテープカセットが＃２８のカセット棚に移動されているのを通知されている。
【００６０】
ホストコンピュータ７０からの前記搬送コマンドを受け取ったライブラリー本体装置１のシステムコントローラ３１は、外部棚装置４０に対して、前記テープカセットのＵＩＤを送る（ステップＳ１１）。
【００６１】
すると、外部棚装置４０の制御装置４７は、前記図５のステップＳ４にて予め記憶している、ＵＩＤと収納位置情報（＃２８のカセット棚）から該当するテープカセットを探しだし、該当する収納位置に配置されているＬＥＤ表示装置４２のＬＥＤを点灯又は点滅してその収納位置を表示、明示する。
【００６２】
このため、オペレータは、ＬＥＤの点灯、点滅により表示、明示された収納位置から該当のテープカセットを手動で誤り無く取り出し、確実にライブラリー本体装置１のＩ／Ｅポート３２に投入することができる（ステップＳ１３）。
【００６３】
そして、ライブラリー本体装置１では、システムコントローラ３５がロボティクス装置３５のサーボコントローラにカセット搬送機構６の各モータを駆動させて前記テープカセットを指定された＃５のカセット棚に搬送する（ステップＳ１４）。
【００６４】
もちろん、ホストコンピュータ７０からのコマンドが搬送先としてテープドライブ装置５を指定するとき、システムコントローラ３５はロボティクス装置３５のサーボコントローラにカセット搬送機構６の各モータを駆動させて、前記テープカセットをテープドライブ装置５に搬送する。
【００６５】
このように、ライブラリーシステムは、前記図５及び図６に示したような処理手順、すなわちテープカセット管理方法を実行することにより、擬似的な外部棚を用意し、擬似的なオンライン状態を作り出すことによって外部棚装置を利用してあたかも大型のライブラリー本体装置に相当する容量を作り出すことができる。
【００６６】
また、前記ライブラリーシステムは、外部棚装置にあるテープカセットの検索を容易とし、間違ったテープカセットをライブラリー本体装置内に投入する可能性を排除できる。また、ライブラリー本体装置の外部にあるテープカセットの管理を不要とする。
【００６７】
さらに、メディア管理を目的とした不必要に大型のライブラリー本体装置を不要とする。また、ホストコンピュータにて実行されるアプリケーションプログラムとの整合性を図ることができるので、新規に対応する部分が外部棚装置の他は必要なくなる。
【００６８】
なお、前記実施の形態では、前記ＵＩＤなどのテープカセットの管理情報がバーコードによって記されている例を挙げたが、あくまでも一例であり他の方法によって管理情報が記録されていてもよい。
【００６９】
例えば、テープカセットにメモリー（Ｍｅｍｏｒｙ　ｉｎ　Ｃａｓｓｅｔｔｅ：ＭＩＣ）を設け、このＭＩＣに前記管理情報を記憶させてもよい。このＭＩＣの記憶領域としては、フィールドＦＬ１〜ＦＬ４が設定されている。これらフィールドＦＬ１〜ＦＬ４において、テープカセットの製造時の各種情報、初期化時のテープ情報やパーティション毎の情報等が書き込まれる。もちろん、前記管理情報も書き込まれる。
【００７０】
フィールドＦＬ１は、マニュファクチャーインフォーメーション（Ｍａｎｕｆａｃｔｕｒｅ　Ｉｎｆｏｒｍａｔｉｏｎ）とされ、主にテープカセットの製造時の各種情報が記憶されるマニュファクチャパートとされている。
【００７１】
フィールドＦＬ２は、メモリーマネージメントインフォーメーション（ＭｅｍｏｒｙＭａｎａｇｅｍｅｎｔ　Ｉｎｆｏｒｍａｔｉｏｎ）とされ、主に初期化時の情報等が記憶されるドライブイニシャライズパートとされている。
【００７２】
フィールドＦＬ３は、ボリュームタグ（Ｖｏｌｕｍｅ　Ｔａｇ）とされ、テープカセット全体の基本的な管理情報が記憶される。
【００７３】
フィールドＦＬ４は、メモリフリープールの領域とされ、管理情報の追加記憶が可能な領域とされる。このメモリフリープールには記録再生動作の経過や必要に応じて各種情報が記憶される。なお、メモリフリープールに記憶される１単位のデータ群を「セル」という。
【００７４】
このようなフォーマットのＭＩＣに、ライブラリー本体装置１側で前記管理情報を例えばフィールドＦＬ３やＦＬ４に記憶させたり、読み取るには、ＭＩＣ送受信アンテナを用いる。このＭＩＣ送受信アンテナは、ＭＩＣに対して前記管理情報他を非接触で授受できるものであり、システムコントローラ３１に接続されている。ＭＩＣ送受信アンテナは、カセット棚３毎に１箇所づつ配設される。
【００７５】
また、外部棚装置４０側では、図１及び図３に示した読み取り装置４５をＭＩＣ送受信アンテナにすればよい。あるいは、カセット棚毎に所定の固定位置に設ければ駆動装置（駆動装置４４に相当）は不要となる。
【００７６】
このようなＭＩＣに前記管理情報を記憶、読み出して、ライブラリーシステムの動作を説明することも可能であるのはもちろんである。前記図５のステップＳ２、ステップＳ４、及び図６のステップＳ１１、ステップＳ１２のバーコードを、（）内のＭＩＣに置き換えて説明すればよい。ここでは説明を省略する。
【００７７】
また、前記実施の形態では、外部棚装置４０内のカセット棚４１を、ライブラリー本体装置１のカセット棚３と同等に仮想棚のように扱ったが、Ｉ／Ｅポートとして仮想的に割り当ててもよい。つまり、外部棚装置４０内のカセット棚４１を、ライブラリー本体装置１にあってテープカセットが投入される仮想カセット投入ポート、又はカセット搬送機構６によって搬送されたテープカセットを排出する仮想カセット排出ポートとして割り当ててもよい。
【００７８】
図７は、外部棚装置４０内のカセット棚４１がホストコンピュータ７０からは、仮想Ｉ／Ｅ棚４８のように見えることを示す図である。つまり、ホストコンピュータ７０からは、ライブラリー本体装置１のＩ／Ｅポート３２（ＩＥ＃０）に続く、仮想的なＩ／Ｅ棚として、ＩＥ＃１、ＩＥ＃２、・・・ＩＥ＃８があるように見える。
【００７９】
図８は、テープカセット（メディア）を仮想Ｉ／Ｅポートに搬送する処理例を示すフローチャートである。
【００８０】
ホストコンピュータ７０からは、ライブラリー本体装置１のカセット棚＃１０に収納されているテープカセットを、仮想Ｉ／ＥポートＩＥ＃７に搬送せよという移動コマンドが発行されたとする。
【００８１】
すると、ライブラリー本体装置１のシステムコントローラ３１は、ロボティクス装置３５のサーボコントローラに対して、カセット棚＃１０に収納されているテープカセットを、Ｉ／Ｅポート３２（ＩＥ＃０）に搬送せよという変更コマンドを発行する。この変更コマンドを受け取ったロボティクス装置３５のサーボコントローラは、カセット搬送機構６の各モータを駆動して＃１０のカセット棚に収納されていたテープカセットをＩ／Ｅポート３２（ＩＥ＃０）に搬送する（ステップＳ２１）。つまり、システムコントローラ３１は、＃１０のカセット棚に収納されていたテープカセットを実際には仮想Ｉ／Ｅポート＃７ではなく、Ｉ／Ｅポート３２に搬送する。
【００８２】
このとき、システムコントローラ３１は、ライブラリー本体装置１内に設けられているバーコード読み取り装置／又はＭＩＣ送受信アンテナを介してテープカセット固有の識別情報（Ｕｎｉｑｅ　ＩＤ：ＵＩＤ）をバーコード／ＭＩＣから読みだし、この読み出したＵＩＤをカセット棚番号＃１０に対応付けて内部の記憶部に記憶する（ステップＳ２２）。
【００８３】
そして、ステップＳ２３にてＩ／Ｅポート３２からオペレータによりテープカセットが手動で取り出され、外部棚装置４０の例えば＃３１（図４に示す）のカセット棚に手動で移されたとする。
【００８４】
外部棚装置４０は、前記＃３１のカセット棚に移されたテープカセットのバーコード／ＭＩＣをバーコード読み取り装置４５／ＭＩＣ送受信アンテナによって読み取り（ステップＳ２４）、当該テープカセットのＵＩＤと棚番号＃３１とを対応つけて制御装置４７内部のメモリに記憶する。
【００８５】
このテープカセットのＵＩＤと棚番号＃３１（収納位置情報）は、外部棚装置４７の制御装置４７からＲＳ２３２Ｃインターフェース４６を介し、さらにライブラリ本体装置１のＲＳ２３２Ｃインターフェース３４を介してシステムコントローラ３１に送信される。このため、システムコントローラ３１は、前記ステップＳ２２にてメモリに格納しておいた移動されたテープカセットのＵＩＤとＩ／Ｅ＃７とを参照することにより、ＵＩＤと、ＩＥ＃７と、カセット棚＃３１（収納位置情報）とを関連付けて保存することができる。
【００８６】
次に、仮想Ｉ／Ｅポートからテープカセット（メディア）を搬送する場合の処理手順について説明する。具体例としては、前記ＩＥ＃７の仮想Ｉ／Ｅ棚に移されたテープカセットが必要になり、ライブラリー本体装置１の前記＃１０のカセット棚に戻す動作について説明する。
【００８７】
ホストコンピュータ７０のアプリケーションプログラムは、前記ＩＥ＃７の仮想Ｉ／Ｅ棚からテープカセットを＃１０のカセット棚に搬送するコマンドを発行する。もちろん、予め、ホストコンピュータ７０は、システムコントローラ３１から、＃１０のカセット棚に収納されていたテープカセットがＩＥ＃７のカセット棚に移動されているのを通知されている。
【００８８】
ホストコンピュータ７０からの前記搬送コマンドを受け取ったライブラリー本体装置１のシステムコントローラ３１は、外部棚装置４０に対して、前記テープカセットのＵＩＤを送る（ステップＳ３１）。
【００８９】
すると、外部棚装置４０の制御装置４７は、前記図８のステップＳ２４にて予め記憶している、ＵＩＤと収納位置情報（＃３１のカセット棚）から該当するテープカセットを探しだし、該当する収納位置に配置されているＬＥＤ表示装置４２のＬＥＤを点灯又は点滅してその収納位置を表示、明示する。
【００９０】
このため、オペレータは、ＬＥＤの点灯、点滅により表示、明示された収納位置から該当のテープカセットを手動で誤り無く取り出し、確実にライブラリー本体装置１のＩ／Ｅポート３２（ＩＥ＃０）に投入することができる（ステップＳ３３）。
【００９１】
そして、ライブラリー本体装置１では、システムコントローラ３５がロボティクス装置３５のサーボコントローラにカセット搬送機構６の各モータを駆動させて前記テープカセットを指定された＃１０のカセット棚に搬送する（ステップＳ３４）。
【００９２】
このように、ライブラリーシステムは、前記図８及び図９に示したような処理手順、すなわちテープカセット管理方法を実行することにより、擬似的な外部棚を用意し、擬似的なオンライン状態を作り出すことによって外部棚装置を利用してあたかも大型のライブラリー本体装置に相当する容量を作り出すことができる。
【００９３】
また、前記ライブラリーシステムは、外部棚装置にあるテープカセットの検索を容易とし、また間違ったテープカセットをライブラリー本体装置内に投入する可能性を排除できる。また、ライブラリー本体装置の外部にあるテープカセットの管理が不要になる。
【００９４】
さらに、メディア管理を目的とした不必要に大型のライブラリー本体装置を不要とする。また、ホストコンピュータにて実行されるアプリケーションプログラムとの整合性を図ることができるので、新規に対応する部分が外部棚装置の他は必要なくなる。
【００９５】
なお、前記実施の形態のライブラリーシステムは、ライブラリー本体装置１に、外部棚装置４０を１台だけ接続した例を示したが、ＲＳ２３２Ｃインターフェースを介せば、外部棚装置４０を何台でも接続することができる。
【００９６】
また、前記実施の形態のライブラリーシステムは、テープカセットを記録媒体カセットとしたカセットライブラリーシステムに適用した例を示したが、記録媒体カセットはテープカセットに限定されるものではなく、光ディスク、光磁気ディスクなどを記録媒体とするカセットライブラリーシステムとして適用することもできる。
【００９７】
また、前記実施の形態のライブラリーシステムは、バックアップ用に適すると説明したが、オペレータによるカセットの取り出し、収納で、処理が満足するようなシステムであれば、バックアップ用に限定されるものではない。
【００９８】
【発明の効果】
本発明に係るライブラリーシステムは、外部棚装置がライブラリー本体装置から指定された記録媒体カセットを検索し、該当する記録媒体カセットの収納位置にあるＬＥＤを点灯するので、内蔵カセット棚を増やした大型のライブラリー装置を使用することなく、人間がラベルを見て検索する負荷や、誤ったテープカセットを投入する危険を回避できる。
【００９９】
本発明に係る記録媒体カセットの移動管理方法は、管理情報記憶工程で記憶された記録媒体カセットに関する管理情報がライブラリー本体装置から送られると、外部棚装置では、外部棚装置側管理情報記憶工程で記憶された該当の管理情報を検索し、検索した管理情報に対応付けられたカセット棚の収納アドレスを知ることができ、その収納アドレスにある記録媒体カセットを例えばＬＥＤを点灯して表示することができるので、人間がラベルを見て検索する負荷や、誤ったテープカセットを投入する危険を回避できる。
【図面の簡単な説明】
【図１】実施の形態のライブラリーシステムの構成図である。
【図２】ライブラリー本体装置の詳細な内部構成を示す斜視図である。
【図３】ライブラリー本体装置と外部棚装置の電気的接続関係を示すブロック図である。
【図４】ライブラリー本体装置のカセット棚に連続させて、外部棚装置のカセット棚（仮想棚）を配置した模式図である。
【図５】本発明の記録媒体カセットの管理方法のうち、メディアを仮想棚に搬送する処理手順を示すフローチャートである。
【図６】本発明の記録媒体カセットの管理方法のうち、仮想棚からメディアを搬送する処理手順を示すフローチャートである。
【図７】外部棚装置内のカセット棚を、Ｉ／Ｅポートとして仮想的に割り当てた様子を示す図である。
【図８】本発明の記録媒体カセットの管理方法のうち、メディアを仮想Ｉ／Ｅポートに搬送する処理手順を示すフローチャートである。
【図９】本発明の記録媒体カセットの管理方法のうち、仮想Ｉ／Ｅポートからメディアを搬送する処理手順を示すフローチャートである。
【符号の説明】
１　ライブラリー本体装置、５　テープドライブ装置、３１　システムコントローラ、３２　Ｉ／Ｅポート、４０　外部棚装置、４１　カセット棚、４２　ＬＥＤ表示装置、４５　バーコード読み取り装置、７０　ホストコンピュータ
【図１】
2004005844.tif 000003
【図２】
2004005844.tif 000004
【図３】
2004005844.tif 000005
【図４】
2004005844.tif 000006
【図５】
2004005844.tif 000007
【図６】
2004005844.tif 000008
【図７】
2004005844.tif 000009
【図８】
2004005844.tif 000010
【図９】
2004005844.tif 000011